(57)【特許請求の範囲】
【請求項１】
通信システムにおいて、少なくとも、第１の通信標準に従って送信された第１の信号と第２の通信標準に従って送信された第２の信号とをソフト・ハンドオフする方法において、
前記第１の信号を最初に受信するステップと、
パイロット信号の存在を検出するステップと、
前記パイロット信号のパイロット信号強度を測定するステップと、
前記第１の通信標準に従って通信された通信チャネルを用いて、前記測定されたパイロット信号強度に基づいてパイロット強度測定メッセージを送信するステップと、
前記パイロット強度測定メッセージを送信した後に、ハンドオフ指令メッセージを受信するのを失敗するステップと、
ブロードキャスト制御チャネルの存在を検出するステップと、
前記ブロードキャスト制御チャネルの搬送波対干渉比を測定するステップと、
前記搬送波対干渉比をスレッショルドと比較するステップと、
前記搬送波対干渉比が前記スレッショルドより上である場合、前記第２の通信標準に従って通信された逆方向リンク共通制御チャネルを用いて前記第２の通信標準に従って第２の通信を開始するステップと、
前記逆方向リンク共通制御チャネルを用いて前記パイロット強度測定メッセージを送信するステップと、
それぞれ前記第１及び第２の通信標準に従って前記第１及び第２の信号を介して情報を送信することによりソフト・ハンドオフ操作を開始するステップとを備える方法。
【請求項２】
前記第１及び第２の通信標準に従って通信された前記第１及び第２の信号の通信データ速度を等しくするステップを更に備える請求項１記載の方法。
【請求項３】
前記第１及び第２の信号を組み合わせるステップを更に備える請求項１記載の方法。
【請求項４】
前記パイロット強度測定メッセージを前記第１の共通制御チャネルを介して受信するステップと、
前記第２の通信標準に従って送信された前記パイロット信号のパイロット強度測定メッセージを検出するステップと
を更に備える請求項１記載の方法。
【請求項５】
前記パイロット信号に割り当てられた割当て電力レベル、前記ブロードキャスト制御チャネルに割り当てられた割当て電力レベル、及び前記通信システムにおけるソフトハンドオフ・スレッショルドに基づいて前記スレッショルドを決定するステップを更に備える請求項１記載の方法。
【発明の詳細な説明】
【０００１】
［発明の背景］
本発明は、通信及び通信システムの分野に関し、特に符号分割多元接続（ＣＤＭＡ）通信システムに関する。
【０００２】
幾つかのタイプの商業的に使用可能なＣＤＭＡ通信システムは、ＩＳ−９５Ｂ及びＩＳ−９５Ｃ標準のような１つ以上の多重通信標準に従って動作する。そのようなシステムは１つの世代から別の世代に発展する。例えば、ＩＳ−９５Ｂ標準は、既知のＩＳ−９５Ａ標準に続き、ＣＤＭＡ通信システムの多くの様々な面で性能を改善しながら追加の容量を与える。最近では、ＩＳ−９５Ｃ標準（あるいはＩＳ３０００として知られている）が、容量及び性能に対するより高い要求に適合するため導入された。ＩＳ−９５Ａ、ＩＳ−９５Ｂ、ＩＳ−９５Ｃ（ＩＳ３０００）システムの詳細を記述する標準規格（その各々のコピーは米国電気通信工業会（米国、ワシントンＤＣ）と接触することにより又はワールド・ワイド・ウェブの「ｗｗｗ．ｔｉａｏｎｌｉｎｅ．ｏｒｇ」を訪問することにより得られる。）が本明細書に援用されている。
【０００３】
図１を参照すると、幾つかのセル・サイト・カバレージ・エリア及びある一定関連のビルディング・ブロックを有する通信システム１００が示されている。異なる標準に従って動作しているＣＤＭＡシステムは、並んで配置されたカバレージ・エリアで、即ち相互に近接して、又はオーバーラップしているカバレージ・エリアで実施されていることが多い。例えば、複数のセクタを有するセル・サイト１０１は、オーバーラップしているカバレージ・エリアでＩＳ−９５Ｂ及びＩＳ−９５Ｃ標準に従って通信サービスを提供している。セル・サイト１０１は、タイプＩＳ−９５Ｂの基地トランシーバ局（ＢＴＳ）１３１及びタイプＩＳ−９５ＣのＢＴＳ１３２を基地局コントローラ（ＢＳＣ）１３４に結合することにより複数のタイプのサービスを達成する。ＢＳＣ１３４がセル・サイト１０１を介してなされた通信呼びの幾つかの局面を制御するので、ＢＳＣ１３４は、移動するユーザがカバレージ・エリア内にいる間どのタイプのサービス、即ちＩＳ−９５Ｂに対するタイプＢ又はＩＳ−９５Ｃに対するタイプＣを受け得るかを決定し得る。移動するユーザはまたサービスのタイプを選択し得る。ＢＳＣ１３４は、移動局がセル・サイト１０１のカバレージ・エリア内にいる場合対応するＢＴＳ、例えばＢＴＳ１３１及びＢＴＳ１３２のいずれかを介して情報をルート付けすることにより選択された通信タイプを通して通信サービスを提供する。
【０００４】
通信システム１００に示されるようにセル構成の一例によれば、セル・サイト１０１に隣接したセル・サイト１０３は、ＩＳ−９５Ｂ標準に従った通信サービスのみを提供する。そのため、セル・サイト１０３にサービスを提供しているＢＴＳ１３５は、Ｂタイプであり、そしてＢＳＣ１３４に結合されている。セル・サイト１０３及び１０１に隣接したセル・サイト１０２は、ＩＳ−９５Ｃ標準に従って通信サービスを提供し得る。そのため、セル・サイト１０２にサービスを提供しているＢＴＳ１３６は、Ｃタイプであり、そしてＢＳＣ１３４に結合されている。他のセル・サイト構成も可能である。
【０００５】
移動局も標準と共に発展しているので、移動局は単一モード又はデュアルモード又は他のマルチモードで動作し得る。デュアルモード動作の場合には、移動局は、ＩＳ−９５Ｂ及びＩＳ−９５Ｃ標準の両方に従って動作し得る。移動局（ＭＳ）１０４は、それが単一モード動作にある場合、その動作モードがそれぞれＩＳ−９５Ｃか又はＩＳ−９５Ｂかに応じて、ＢＴＳ１３２及び１３６を介してセル・サイト１０１及び１０２から、又はＢＴＳ１３１及び１３５を介してセル・サイト１０１及び１０３から通信サービスを受信し得る。しかしながら、デュアルモードのＭＳ１０４は、３つ全てのセル・サイト１０１−１０３から通信サービスを効率的に受信することができないかも知れない。少なくともある程度まで、デュアルモード動作でのＭＳ１０４は、３つ全てのセル・サイトからソフト・ハンド操作の便益を受け得ない。
【０００６】
当業者に共通に知られているソフト・ハンドとして知られている操作により、移動局は、近隣の基地局から異なる信号を受信し且つ組み合わせて、受信品質を改善することができる。受信された信号は、受信器で組み合わされて、送信された情報の受信及び復号において改善が得られる。ソフト・ハンドオフに関連した操作は、ＩＳ−９５Ｂ及びＩＳ−９５Ｃ標準で与えられる記述を考慮すると当業者には周知である。
【０００７】
移動局が共通の標準に従って通信された信号を受信するとき、ソフト組み合わせ操作（ｓｏｆｔ−ｃｏｍｂｉｎｉｎｇ  ｏｐｅｒａｔｉｏｎ）は容易に実行される。例えば、移動局１０４がＩＳ−９５Ｂ標準に従ってＢＴＳ１３１を介してセル・サイト１０１と通信していて且つセル・サイト１０３へ移動する場合、ソフト・ハンドオフ操作は、セル・サイト１０３がＢタイプであるＢＴＳ１３５を介して動作するので容易に実行される。そのため、ＢＳＣ１３４は、ＭＳ１０４へセル・サイト１０１及び１０３を介して、両方ともＢタイプであるＢＴＳ１３１及び１３５を通して情報を容易に送信し得る。しかしながら、移動局１０４がＩＳ−９５Ｂ標準に従ってセル・サイト１０１と通信していて且つセル・サイト１０２へ移動する場合、セル・サイト１０２がＩＳ−９５Ｃ標準に従って動作するＢＴＳ１３６を介してのみ通信サービスを与えるので、ソフト・ハンドオフ操作は可能でない。更に、ＭＳ１０４がＩＳ−９５Ｂ標準に従って動作するＢＴＳ１３１を介してセル・サイト１０１と通信しているとき、セル・サイト１０１からＩＳ−９５Ｃ標準に従って動作するＢＴＳ１３２を介して送信された信号に対するソフト・ハンドオフ操作は、可能でなく又は困難である。用語「セル・サイト」及び「セクタ」は通信サービスが与えられる方法において交換可能であることが当業者により十分理解されるであろう。
【０００８】
従って、異なるＣＤＭＡ標準に従って送信され受信された信号のソフト組み合わせ操作を容易にする方法及び装置に対する必要性がある。
【０００９】
［好適な実施形態の詳細な説明］
ＩＳ−９５Ｃ標準に従って動作する通信システムは、ブロードキャスト共通制御チャネル（ＢＣＣＨ）を含む。デュアルモードで動作する移動局はＢＣＣＨの存在を検出することができる。デュアルモードで動作することができる移動局は、実質的に、ＩＳ−９５Ｂ及びＩＳ−９５Ｃのような少なくとも２つの異なるタイプの通信標準に従って異なるセル・サイト又はセクタから送信された信号のソフト組み合わせを行うことを可能にする本発明の様々な局面の便益を受けることができる。
【００１０】
図２を参照すると、代表的通信システム２００は、本発明の一実施形態に従って図示されている。通信システム２００は、複数のセル・サイト２０１−２０３（３つが示されている）を含む。各セル・サイト２０１−２０３は、１つ以上の基地トランシーバ局（ＢＴＳ）２３１、２３２、２３５及び２３６によりサービスを提供され（即ち、セル・サイト２０１はＢＴＳ２３１及び２３２によりサービスを提供され、セル・サイト２０２はＢＴＳ２３６によりサービスを提供され、セル・サイト２０３はＢＴＳ２３５によりサービスを提供され）、そして通信標準ＩＳ−９５Ｂ及び通信標準ＩＳ−９５Ｃのような１つ以上の通信標準に従って通信サービスを提供する。また、各セル・サイトは、セクタ化されることができ、即ち、複数のセクタに分割され得る。
【００１１】
図２に示されるように、セル・サイト２０１は、オーバーラップしているカバレージ・エリア内で、第１及び第２の通信標準、即ちＩＳ−９５Ｂ及びＩＳ−９５Ｃの両方に従って通信サービスを提供する。セル・サイト２０１は、複数のタイプのサービス、即ち基地局コントローラ（ＢＳＣ）２３４にＢＴＳ２３１を結合することによりタイプＩＳ−９５Ｂのサービスを、そして基地局コントローラ（ＢＳＣ）２３４にＢＴＳ２３２を結合することによりタイプＩＳ−９５Ｃのサービスを達成する。ＢＳＣ２３４は、セル・サイト２０１を介してなされた通信呼びのある局面を制御し、そして移動するユーザがセル・サイト２０１のカバレージ・エリア内にいる間にその移動するユーザがどのタイプのサービス、即ちＩＳ−９５Ｂに対するタイプＢかＩＳ−９５Ｃに対するタイプＣかのいずれを受信し得るかを決定することができる。移動するユーザはまたサービスのタイプを選択し得る。ＢＳＣ２３４は、移動局がセル・サイト２０１のカバレージ・エリア内にいる場合、対応するＢＴＳ、例えばＢＴＳ２３１かＢＴＳ２３２かのいずれかを介して情報をルート付けすることにより、選択された通信タイプを通して通信サービスを提供する。
【００１２】
セル・サイト２０１に隣接しているセル・サイト２０３は、ＩＳ−９５Ｂ標準に従って通信サービスを提供する。その結果、セル・サイト１０３にサービスを提供しているＢＴＳ２３５は、Ｂタイプであり、そしてＢＳＣ２３４に結合されている。セル・サイト２０１及び２０３に隣接するセル・サイト２０２は、ＩＳ−９５Ｃ標準に従って通信サービスを提供する。その結果、セル・サイト１０２にサービスを提供しているＢＴＳ２３６は、Ｃタイプであり、そしてＢＳＣ２３４に結合されている。他のセル・サイト構成もまた可能である。
【００１３】
通信システム２００は更に、単一モード又はデュアルモード又はマルチモードで動作し得る移動局（ＭＳ）２０４を含む。デュアルモード動作の場合、ＭＳ２０４は、ＩＳ−９５Ｂ及びＩＳ−９５Ｃ標準の両方に従って動作し得る。ＭＳ２０４が共通の標準に従って通信された信号を受信するとき、ソフト組み合わせ操作は容易に実行される。例えば、移動局２０４がＩＳ−９５Ｂ標準に従ってＢＴＳ２３１を介してセル・サイト２０１と通信し、そしてセル・サイト２０３へ移動する場合、ソフト・ハンドオフ操作は、セル・サイト２０３がＢタイプであるＢＴＳ２３５を介して動作するので容易に実行される。そのため、ＢＳＣ２３４は、両方がＢタイプであるＢＴＳ２３１及び２３５を通してＭＳ２０４へセル・サイト２０１及び２０３を介して情報を容易に送信し得る。しかしながら、従来技術においては、移動局がＩＳ−９５Ｂ標準のような第１の通信標準に従って第１のセル・サイトと通信していて、そしてＩＳ−９５Ｃ標準のような第２の通信標準に従って動作する第２のセル・サイトへ移動するとき、ソフト・ハンドオフ操作は不可能でなくても困難である場合がある。
【００１４】
通信システム２００には、少なくとも、ＩＳ−９５Ｂ標準のような第１の通信標準に従って送信された第１の信号とＩＳ−９５Ｃ標準のような第２の通信標準に従って送信された第２の信号とのソフト・ハンドオフ操作を与える方法及び装置が含まれている。ＭＳ２０４とそのＭＳ２０４に通信サービスを提供するセル・サイトとは、最初の接触の際、第１の通信標準を選択し得る。ＭＳ２０４は、通信システム２００の中のセル・サイト２０１−２０３の１つと通信リンク状態にある間に最初第１の信号を受信する。そのような通信リンクは、例えば、ＩＳ−９５Ｂ標準に従って通信サービスを提供するセル・サイト２０３とであり得る。
【００１５】
各セル・サイト２０１−２０３又はセル・サイトのセクタは、ＰＮオフセットとして共通に知られている独特の時間オフセットを有する疑似ランダム・コードで符号化されたパイロット信号を送信する。ＭＳ２０４は、パイロット信号、多分、既に検出されてしまったパイロット信号とは異なる新しいパイロット信号の存在を検出し得る。適切な通信リンクを維持するためＭＳ２０４により実行されたルーチン操作の正常部分として、ＭＳ２０４は、セル・サイト２０１−２０３の各々からＭＳ２０４により受信されたパイロット信号のパイロット信号強度を測定する。パイロット信号強度と多分他の情報とに基づいて、ＭＳ２０４は、通信リンクのハンドオフのためのより適切なセル・サイトを見出し得る。ＭＳ２０４は、第１の通信標準に従って通信された通信チャネルを用いることにより、測定されたパイロット信号強度に基づいてパイロット強度測定メッセージを送信する。
【００１６】
パイロット信号がセル・サイト２０２のようなタイプＣだけのセル・サイトから送信された場合、Ｂタイプであるセル・サイト２０３は、メッセージに応答しないであろう。そのような応答は常態ではＢＳＣ２３４から発生される。ＢＳＣ２３４はデュアルモード動作に関するＭＳ２０４の能力を知らないので、ＢＳＣ２３４はメッセージに応答しないであろう。その結果、ＭＳ２０４は、短い時間期間の後で、パイロット強度測定メッセージを送信した後にハンドオフ指令メッセージ（ｈａｎｄｏｆｆ  ｄｉｒｅｃｔｉｏｎ  ｍｅｓｓａｇｅ）を受信することができない。ハンドオフ指令メッセージを受信できないことは、パイロット信号がタイプＣのセル・サイトから送信されたことの指示であり得る。ＭＳ２０４は、タイプＣのセル・サイトと関連するブロードキャスト制御チャネルの存在の検出を探索する。
【００１７】
ブロードキャスト制御チャネルが検出されたとき、ＭＳ２０４は、ブロードキャスト制御チャネルの搬送波対干渉比を測定する。更に、ＭＳ２０４は、搬送波対干渉比をスレッショルドと比較する。搬送波対干渉比がスレッショルドより上であるとき、ＭＳ２０４は、第２の通信標準に従って通信された逆方向リンク共通制御チャネルを用いて第２の通信標準に従って第２の通信を開始する。ＭＳ２０４は、逆方向リンク共通制御チャネルを用いてパイロット強度測定メッセージを送信する。この時点で、ＭＳ２０４は、通信システム２００においてＩＳ−９５Ｂ及びＩＳ−９５Ｃの両方に従った通信リンクを有する。次いで、ＢＳＣ２３４は、第１及び第２の信号を介してそれぞれ第１及び第２の通信標準に従って情報を送信することによりソフト・ハンドオフ操作を開始するのを可能にする。ＭＳ２０４は、第１の信号と第２の信号とを組み合わせて、ソフト・ハンドオフ操作を利用する。
【００１８】
ＭＳ２０４がセル・サイト２０１からのパイロット信号を検出している場合、パイロット強度測定メッセージは、ＢＳＣ２３４により応答されるであろう。それは、セル・サイト２０１がＢ及びＣの両タイプ、即ち第１及び第２の通信標準に対する通信サービスを提供することができるからでる。従って、ＢＳＣ２３４は、ハンドオフ操作を指令するためのメッセージに基づいてハンドオフ指令メッセージを発生する。Ｃタイプが場合によってはＢタイプより良い性能を与えるので、ＢＳＣ２３４は、通信サービスをＣタイプに動かすことが好ましい。更に、この状況においては、ＭＳ２０４は、セル・サイト２０１から送信されたブロードキャスト・チャネルの存在を検出し得る。ＭＳ２０４は、ブロードキャスト制御チャネルの搬送波対干渉比を測定し、そして搬送波対干渉比をスレッショルドと比較する。搬送波対干渉比がスレッショルドより上であるとき、ＭＳ２０４は、逆方向リンク共通制御チャネルを用いて、第２の通信標準、即ちＣタイプに従って第２の通信を開始する。ＭＳ２０４は逆方向リンク共通制御チャネルを用いてパイロット強度測定メッセージを送信する。次いで、ＢＳＣ２３４は、前記第１及び第２の信号を介してそれぞれ第１及び第２の通信標準に従って情報を送信することによりソフト・ハンドオフ操作を開始する。次いで、ＭＳ２０４は、第１の信号と第２の信号とを組み合わせる。この時点で、ＭＳ２０４は、第１の通信標準即ちＢタイプに従って通信された第１の信号を落とし（ｄｒｏｐ）、そして第２の通信標準を介して通信を継続する。そのため、ＭＳ２０４は、Ｂタイプの通信サービスから、Ｃタイプの通信サービスが使用可能である場合Ｃタイプの通信サービスに移動する。
【００１９】
図３を参照すると、通信受信器３００のブロック図が本発明の一実施形態に従って示されている。受信器３００は、ＢＣＣＨチャネルの存在を検出するため用いることができる。受信器３００は、多くの信号の間でとりわけ第２の信号及びＢＣＣＨ信号を受信するための受信アンテナ３０１を含む。ＢＣＣＨ信号は、Ｃタイプの通信に割り当てられたＰＮシークエンスに従って信号を拡散解除（ｄｅ−ｓｐｒｅａｄ）するデスプレッダ（ｄｅｓｐｒｅａｄｅｒ）３０２に供給される。その結果生じる信号は、ＢＣＣＨに割り当てられたウォルシュ・コードに従った拡散解除機能のためのデスプレッダ３０３に供給される。その結果生じる信号エネルギは、加算ブロック３０４を及び２乗化ブロック（ｓｑｕａｒｉｎｇ  ｂｌｏｃｋ）３０５介して一括して決定される。その結果生じるメトリック・エネルギ（ｍｅｔｒｉｃ  ｅｎｅｒｇｙ）をスケーリングする必要がある場合には、スケーリング・ブロック（ｓｃａｌｉｎｇ  ｂｌｏｃｋ）３０６は、そのマトリックスを比較器３０７に供給する前にスケーリング（拡大／縮小）する。比較器３０７は、そのエネルギをスレッショルドと比較して、ＢＣＣＨチャネルが存在するかどうかを決定する。ＢＣＣＨチャネルの存在を示すＢＣＣＨチャネル・フラグが生成され得る。
【００２０】
上記スレッショルドは、既知の方法に従って決定され得る。スレッショルドは、セル・サイトから送信されたパイロット信号に割り当てられた送信電力の一部又は合計量、ＢＣＣＨに割り当てられた送信電力の一部または合計量、及びセル・サイトにおけるソフト・ハンドオフ操作に用いられるスレッショルドに基づいて決定されるのが好ましい。ハンドオフ・スレッショルドは、ＩＳ−９５Ｂ及びＩＳ−９５Ｃ標準を考慮すると当業者に周知である。
【００２１】
図４を参照すると、それぞれ第１及び第２の通信標準に従って通信された第１及び第２の信号を受信し、組み合わせ、そして復号するための受信器４００のブロック図が示されている。アンテナ４０１は、第１及び第２の両方の信号を受信する。受信器４００は、受信された第１の信号を第１の通信標準に従って処理して、受信され処理された第１の信号４１１を生成する第１の信号処理ブロック４１０を含む。受信器４００は更に、受信された第２の信号を第２の通信標準に従って処理して、受信され処理された第２の信号４２１を生成する第２の信号処理ブロック４２０を含む。信号４１１及び４２１は、コンバイナ（ｃｏｍｂｉｎｅｒ）４３０で組み合わされ、組み合わされた信号４３１が生成される。第１の通信標準はＩＳ−９５Ｂ標準であり得て、第２の通信標準はＩＳ−９５Ｃ標準であり得る。
【００２２】
受信器４００は更に、第１及び第２の信号を介して通信された情報を検索するため、組み合わされた信号４３１を復号する復号器を含む。
第１の処理ブロック４１０は、第１の通信標準（ＩＳ−９５Ｂ）に適合した第１のＰＮシークエンスを第１の信号に乗算することにより第１の信号を拡散解除して、拡散解除された第１の信号４４０を生成するデスプレッダ４０２を含み得る。トラフィック・チャネル・ウォルシュ・コード・デスプレッダ／復調器４０４は、信号４４０を拡散解除し且つ復調して、復調された第１の信号４４１を生成する。デインターリーバ（ｄｅｉｎｔｅｒｌｅａｖｅｒ）は、第１の通信標準の第１のインターリーブ化／インターリーブ解除機能（ｉｎｔｅｒｌｅａｖｉｎｇ／ｄｅｉｎｔｅｒｌｅａｖｉｎｇ  ｆｕｎｃｔｉｏｎ）に従って、復調された第１の信号４４１をインターリーブ解除して、受信され処理された第１の信号４１１を生成する。
【００２３】
第２の処理ブロック４２０は、第２の通信標準に適合した第２のＰＮシークエンスを第２の信号に乗算することにより第２の信号を拡散解除して、拡散解除された第２の信号４５０を生成するデスプレッダ４０３を含み得る。トラフィック・チャネル・ウォルシュ・コード・デスプレッダ／復調器４０５は、信号４５０を拡散解除し且つ復調して、復調された第２の信号４５１を生成する。デインターリーバは、第２の通信標準の第２のインターリーブ化／インターリーブ解除機能に従って、復調された第２の信号４５１をインターリーブ解除して、受信され処理された第２の信号４２１を生成する。
【００２４】
第１の通信標準に従って動作するセル・サイトにより可能とされ且つ与えられた通信データ速度は、第２の通信標準において可能とされるデータ速度とは異なってよい。そのため、ソフト組み合わせ操作を好適な方法で行うため、本発明は、それぞれ第１及び第２の通信標準に従って通信された第１及び第２の信号の通信データ速度を等しくすることを含み得る。このステップは、ＭＳ２０４とＢＳＣ２３４との間で対応のＢＴＳユニットを介して通信されるメッセージ伝送システムにより達成され得る。通信データ速度を等しくするステップは、第１の信号のデータ速度を第２の信号のソース（供給源）へ通信して、第２の信号のデータ速度を第１の信号のデータ速度に等しく設定することを含み得る。通信データ速度を等しくするステップは、第２の信号のデータ速度を第１の信号のデータ速度に調整することを含んでもよい。
【００２５】
ＭＳ２０４とタイプＩＳ−９５Ｂのセル・サイト５０１及びタイプＩＳ−９５Ｃのセル・サイト５０２との間におけるそのようなメッセージ伝送システム５００及び６００の例が図５及び図６にそれぞれ示されている。ＩＳ−９５Ｃにおいて使用可能なデータ速度はＩＳ−９５Ｂにおいて使用可能なデータ速度より高いので、メッセージ伝送システム５００は、少なくともデータ速度を低減するステップ５０５を含む。メッセージ伝送システム６００は、そのデータ速度を他のシステムに単純に通知するステップ６０５を含み得る。
【００２６】
つまり、少なくとも、第１の通信標準に従って送信された第１の信号と第２の通信標準に従って送信された第２の信号とのソフト・ハンドオフ操作を与える方法及び装置が提供される。移動局（ＭＳ）は、第１の信号を受信し、パイロット信号を検出し、パイロット信号強度を測定し、そしてパイロット強度測定メッセージを送信する。ＭＳがパイロット強度メッセージを送信した後にハンドオフ指令メッセージを受信できないとき、ＭＳは、第２の通信標準で動作しているセル・サイトに関連したブロードキャスト制御チャネル（ＢＣＣＨ）の存在の検出を探索する。ＭＳは、搬送波対干渉比をスレッショルドと比較し、そしてその比がスレッショルドより上であるとき、第２の通信標準に従って第２の通信を開始し、そのためソフト・ハンドオフ操作を開始し、そしてセル・サイトがそれぞれ第１及び第２の信号を介して第１及び第２の標準に従って情報を送信するのを可能にする。ＭＳは、第１の信号と第２の信号とを組み合わせて、ソフト・ハンドオフ操作を利用する。
【００２７】
本発明は、その特定の実施形態を参照して特に示され且つ説明されたが、本発明の趣旨及び範囲から離れることなく様々な変更がなされ、またその構成要素を代替する均等物があり得ることが当業者により理解されるであろう。更に、本発明の本質的範囲から離れることなく特定の状況又は資材を本発明の教示に適合させるため多くの修正を行い得る。従って、本発明は本明細書に開示された特定の実施形態に制限されず、本発明は特許請求の範囲の中に入る全ての態様を含むことを意図するものである。
【図面の簡単な説明】
【図１】  図１は、従来技術の代表的通信システムのブロック図である。
【図２】  図２は、本発明の一実施形態に従った代表的通信システムのブロック図である。
【図３】  図３は、本発明の一実施形態に従ってＢＣＣＨチャネルの存在を検出する通信受信器のブロック図である。
【図４】  図４は、本発明の一実施形態に従ってそれぞれ第１及び第２の通信標準に従って通信された第１及び第２の信号を受信し、組み合わせ、復号する受信器のブロック図である。
【図５】  図５は、本発明の一実施形態に従った、移動局とタイプＩＳ−９５Ｂ及びＩＳ−９５Ｃのそれぞれのセル・サイトとの間のメッセージ伝送システムの例である。
【図６】  図６は、本発明の別の実施形態に従った、移動局とタイプＩＳ−９５Ｂ及びＩＳ−９５Ｃのそれぞれのセル・サイトとの間のメッセージ伝送システムの例である。
【図１】
0004611599.tif 000002
【図２】
0004611599.tif 000003
【図３】
0004611599.tif 000004
【図４】
0004611599.tif 000005
【図５】
0004611599.tif 000006
【図６】
0004611599.tif 000007